(57)【要約】      （修正有）【課題】融雪しながらフィルムを雪層中に進ませて雪下に導き入れるようにし、フィルムを利用して雪を滑らせながら落とす取り扱いが容易な雪降ろし具を提供する。【解決手段】柄２の先端部３に、金属製の横杆を交叉状態にして、且つ軸回転可能にして設け、さらに横杆４に可撓性の滑性シート５を取り付けた雪降ろし具１であり、横杆４の内部にヒートパイプを設ける。ヒートパイプの蒸発部をガス燃焼加熱する加熱手段を柄先端部の内部に備え、加熱手段の点消火操作をする操作手段が柄握り部側に設けられている。【選択図】図１
0003168963.tif 000002
【実用新案登録請求の範囲】
【請求項１】
柄の先端部に、杆長手方向に沿う一辺に刃部を有する金属製の横杆を交叉状態にして、且つ軸回転可能にして設け、前記横杆の刃部位置とは反対側に可撓性の滑性シートを取り付けた雪降ろし具であって、前記横杆から前記柄の先端部に亘って、横杆の内部に凝縮部を位置させ柄先端部の内部に蒸発部を位置させたヒートパイプが設けられていて、前記柄先端部の内部に、前記ヒートパイプの蒸発部をガス燃焼加熱する加熱手段とこの加熱手段にガス供給するボンベとを備え、前記加熱手段の点消火操作を、柄先端部とは反対位置の柄握り部側に前記加熱手段の点消火を操作する操作手段が設けられていることを特徴とする雪降ろし具。
【考案の詳細な説明】
【技術分野】
【０００１】
本考案は雪降ろし具に関するものである。
【背景技術】
【０００２】
従来から冬に多くの雪が降り積もる豪雪地方では、屋根に嵩高く積もった雪からの荷重を軽減して家屋、特に木造家屋を守るために必要に応じて雪降ろしが行なわれている。この屋根の雪降ろしは人手による作業であって作業者にかかる労力が相当量のものとなる。そのため、人手によって雪降ろし作業を行なう場合に用いることができて労力の軽減を目的などとした雪降ろし具について数々の提案がなされている。
【０００３】
例えば、柄の先端に二股状に分かれたステーの間に金属線からなる雪切り線を張り渡した雪降ろし具があり、これは、軒上などに降り積もった雪の層に雪切り線を切り入れて周囲の雪や底部の雪との連続状態を絶つことで雪が落ちるようにしたものである（特許文献１）。また、柄の先端部分に横杆を配して、その横杆にフィルムを取り付けた雪降ろし具があり、屋根の雪面上から横杆を押し入れてフィルムを雪下に導き入れ、横杆のある柄の先端部分を軒下に向けて引くことでフィルムの上に雪を乗せ置きながら軒下へと引き落とすようにしたものであった（特許文献２）。
【０００４】
さらに、柄の先端部分から二股状にしてステーが曲げ延ばされていて、その先端の間にフィルムを張っている雪降ろし具があって、雪層の下方端面側から前記ステーを押し入れながら前記フィルムを雪下に導き入れるようにし、そのフィルムの上に雪が乗ることで軒下に向けて滑り落ちるようにしたものである（特許文献３）。
【０００５】
また、柄の先端部分にその柄の長さ方向に対して傾斜した枠体を取り付け、柄の先端部分を屋根の雪面上から降ろし入れることで枠の先端縁が雪層の下側に位置するようにしていて、雪層の下側に入り込む前記枠体の先端縁に雪切り板を取り付けるとともに、フィルムも取り付けている雪降ろし具もある（特許文献４）。この雪降ろし具にあっても、枠体を移動させてフィルムを雪下に導き入れ、そのフィルムの上に乗った雪が滑り落ちるようにしているものである。
【０００６】
上述した従来の技術では手作業にて雪層の切り込みを行なう仕組みとなっているものである。これに対して消雪装置として、熱を用いる提案もなされている。例えば、バーナーの火炎を熱交換パイプに当て、その熱交換パイプの部分で温められた温水を雪面に吹き付けて消雪する器具が提案されている（特許文献５）。また、この他に、熱を適用するものとして、防水チューブの内部に長手方向に亘って電熱線を配して防水チューブを温め、温められた防水チューブを屋根の雪面上からあてがって融かしながら雪層を切り分ける雪降ろし具が提案されており、切り分けられた部分ごとが軒下などへ落ちるようにするものであった（特許文献６）。さらに、人が取り扱う雪降ろし具や消雪装置ではなく、屋根面などに固定的に設置する融雪装置においてヒートパイプを採用した装置があり、例えば特許文献７に示されているように、凝縮部が屋根面に複数位置するようにヒートパイプを配置した融雪装置も提案されている（特許文献７）。
【先行技術文献】
【特許文献】
【０００７】
【特許文献１】実開昭６２−１５５１２０号公報
【特許文献２】特開平０３−１３７３４７号公報
【特許文献３】実用新案登録第３１２０８８０号公報
【特許文献４】特開２００１−２９５４３９号公報
【特許文献５】実開昭６３−０８１９２７号公報
【特許文献６】実開昭６１−１８８６２２号公報
【特許文献７】実開平０１−０８４３２２号公報
【考案の概要】
【考案が解決しようとする課題】
【０００８】
上述した各種の用具や装置において、柄の端部側に設けられたステーや枠体にフィルムを取り付けて、そのフィルムを雪層の下側に引き入れることで雪を滑られて落とす雪降ろし具は構造が簡単であり、一般人においても取り扱いが容易であると考えられる。
【０００９】
しかしながら、屋根上に降り積もった雪は下層部分が雪自体の重さで固く締まった状態となっていることが多く、実際には雪層の下側にフィルムを導き入れることは困難であって、フィルム上に乗った雪が自重で滑り落ちるようになるという利点を活かしきれない雪降ろし具となる。
【００１０】
そこで、本考案は上記事情に鑑み、融雪しながらフィルムを雪層中に進ませて雪下に導き入れるようにすることを課題とし、フィルムを利用して雪を滑らせながら落とす取り扱いが容易な雪降ろし具を提供することを目的とするものである。
【課題を解決するための手段】
【００１１】
本考案は上記課題を考慮してなされたもので、柄の先端部に、杆長手方向に沿う一辺に刃部を有する金属製の横杆を交叉状態にして、且つ軸回転可能にして設け、前記横杆の刃部位置とは反対側に可撓性の滑性シートを取り付けた雪降ろし具であって、前記横杆から前記柄の先端部に亘って、横杆の内部に凝縮部を位置させ柄先端部の内部に蒸発部を位置させたヒートパイプが設けられていて、前記柄先端部の内部に、前記ヒートパイプの蒸発部をガス燃焼加熱する加熱手段とこの加熱手段にガス供給するボンベとを備え、前記加熱手段の点消火操作を、柄先端部とは反対位置の柄握り部側に前記加熱手段の点消火を操作する操作手段が設けられていることを特徴とする雪降ろし具を提供して、上記課題を解消するものである。
【考案の効果】
【００１２】
本考案によれば、雪降ろし具の柄を持つ作業者が持ち手部分となる柄握り部の操作手段で操作することで柄先端部の横杆を加温することができ、横杆を加温した状態で、屋根上に降り積もった雪の下層部分に、軒下側から雪降ろし具を持って柄先端部を押し付けることで横杆が押し込まれて進む部分の雪が溶融し、また、雪面の上から柄先端部と横杆とを降ろしながら雪の下層部分に向けて押し付けることで、同様に横杆が押し込まれて進む部分の雪が溶融する。このように横杆が雪を融かしながら進むこととなるため、フィルムを雪の下層部分に導き入れる作業に大きな力を加える必要がなく、雪降ろし具を用いた雪降ろし作業が簡単になる。
【図面の簡単な説明】
【００１３】
【図１】本考案に係る雪降ろし具の一例を示す説明図である。
【図２】一例における横杆を側方から見た状態での断面で示す説明図である。
【図３】一例における先端部と操作手段を示す説明図である。
【図４】一例における先端部を上方から見た状態で示す説明図である。
【図５】一例における横杆が回転して滑性シートが前方に位置した状態を示す説明図である。
【考案を実施するための形態】
【００１４】
つぎに本考案を図１から図５に示す実施の形態に基づいて詳細に説明する。
図中１は雪降ろし具であって、大人が一人で取り扱える大きさのものであって、例えば、一般住宅での一階の屋根の上に降り積もった雪を降ろす作業を行なう場合を想定したとき、屋外の軒下近くで大人がこの雪降ろし具１を支えて、先端の部分を屋根中腹程度までに掛かる長さを有するものとすることができる。
【００１５】
図１に示されているように雪降ろし具１は、大人一人が端部を持って手持ちにて十分支えることのできる重さであって物干し竿程度の長さを有する柄２と、この柄２の先端部３に柄２の長さ方向に直交する方向をそれぞれ長手方向として取り付けられて柄２を間にして一対とされている横杆４と、表裏両面が雪に対する滑性を有して前記横杆４それぞれに取り付けられている合成樹脂製の柔軟な滑性シート５とを備えてなるものである。
【００１６】
雪降ろし具１ではこの雪降ろし具１の前方部分が屋根葺き材の上を移動し易くするために、上記横杆４の外端部に車輪６を回転可能にして取り付けているとともに、図２に示すように柄２における先端部３の突端７にも横杆４の車輪６と向きを同じくした車輪６が回転可能にして取り付けられている。
【００１７】
これによって柄２の先端部３や横杆４が直接屋根葺き材に接触することはなく、屋根面での凸部（葺き材連結部など）や雪止めを乗り越え易くなる。勿論、屋根上から雪を降ろす際、前記車輪６を屋根面に接するまでこの雪降ろし具１の先端部分を雪層中に深く差し入れる必要はない。
【００１８】
上記横杆４それぞれは伝熱効率の良好な金属を素材とした引き抜き材から形成されている。横杆４の横断面は略紡錘形状とし、横杆４の長手方向に沿う一辺で断面先頭形状となっている部分を刃部８としているとともに、刃部８の反対側の一辺に取付溝９が設けられている（図３、図４参照）。また、滑性シート５は横杆４の上記取付溝９に一辺を差し込んで支持されていて、横杆４の長手方向を短辺とし柄２の長手方向を長辺とする略長方形に形成されている。
【００１９】
このように上記横杆４はその一辺に刃部８が設けられているので、例えば、屋外から一階軒先に降り積もっている雪の下部にこの雪降ろし具１の先端部分を対応させて突き入れるようにすることで、横杆４の刃部８が雪層を上下に切り分けながら進み、その横杆４に取り付けられている滑性シート５が雪層内に導き入れられるようになる。
【００２０】
上述のように刃部８が長手方向に沿って形成され上記滑性シート５が刃部８とは反対側に取り付けられている横杆４は、柄２の先端部３に対し、該横杆４の長手方向を軸中心として回転可能にして取り付けられている。このため、横杆４の刃部８を柄の持ち手側に向けるとともに滑性シート５を柄２の先端部３側から雪落とし具前方に向けて垂らすようにし（図５参照）、そして、家屋二階の窓などから一階の屋根上に積もっている雪面にこの雪降ろし具１の先端部分を降ろして雪層中に位置させた状態としてから引っ張り上げるようにすることで、横杆４が雪層を上下に切り分けながら進んで滑性シート５を雪層下側に導き入れるようになる。
【００２１】
このように軒先側から雪降ろし具１を突き入れるようにしたり、雪面上から雪層内に降ろし入れてから引っ張るようにして滑性シート５を雪の下層側に導き入れ、雪をその滑性シート５の上に乗るようにすれば、滑性シート５の上に乗った雪自体の重さによって滑り落ちるようになる。
【００２２】
さらに実施の形態にあっては横杆４側から雪に熱を伝えて融雪できるようにした仕組みが組み込まれている。まず、横杆４から柄２の先端部３に亘って、横杆４の内部に凝縮部を位置させ柄２の先端部３の内部に蒸発部を位置させたヒートパイプ１０が設けられている。そして、前記柄２の先端部３の内部にあっては、ヒートパイプ１０の蒸発部に火炎を当ててその蒸発部をガス燃焼加熱する燃焼器からなる加熱手段１１が配置されている。さらに、この加熱手段１１にガス供給するボンベ１２を近接させた状態で設けられている（図３、図４）。
【００２３】
このように雪降ろし具１ではヒートパイプ１０の蒸発部を加熱手段１１で加熱し、潜熱を凝縮部側に移動させて横杆４側で発熱させることで、この横杆４で雪を融かすようになり、横杆４による融雪をしながら雪層の切り進みが行なわれることとなって、滑性シート５の導き入れの操作も雪層から抵抗を受けずに行なうことができる。
【００２４】
上記加熱手段１１の点消火操作は、柄２の先端部３とは反対位置の握り部１３側にある操作手段１４で行なうように設けられていて、例えば、加熱手段１１の燃焼器における点消火スイッチと操作手段１４の操作ノブとを金属製の長尺なステー材で連結して、前記操作手段１４による手元操作で前記燃焼器の点消火スイッチを操作できるようにしている。
【００２５】
上記実施の形態において横杆の取付溝に滑性シートを差し込んでいる構造を有するものとして説明したが、本考案において滑性シートの横杆への取付形態はこの例に限定されるものではない。そして、滑性シートを横杆に着脱可能に取り付けることができるものであってもよい。
【符号の説明】
【００２６】
１…雪降ろし具
２…柄
３…先端部
４…横杆
５…滑性シート
８…刃部
１０…ヒートパイプ
１１…加熱手段
１２…ボンベ
１４…操作手段
【図１】
0003168963.tif 000003
【図２】
0003168963.tif 000004
【図３】
0003168963.tif 000005
【図４】
0003168963.tif 000006
【図５】
0003168963.tif 000007